(57)【要約】【課題】ポリゴンミラーで偏向されたビーム光の副走査方向の分離角度を調整することにより、偏向面の傾斜に起因する像面湾曲やケラレの発生を効果的に抑制できる光学走査装置及びそれを備えた画像形成装置を提供する。【解決手段】コリメータレンズ４１とシリンドリカルレンズ４２との間に配置された平行透明板６１を矢印ＢＢ′方向に傾斜させると、ビーム光Ｄ１、Ｄ２は光軸Ｏに対する平行状態を維持したまま、シリンドリカルレンズ４２に対する副走査方向（矢印ＣＣ′方向）の入射位置のみが変化する。シリンドリカルレンズ４２を通過した光は、シリンドリカルレンズ４２に対する副走査方向の入射位置に関係なく偏向面４４ａの同一位置に結像するため、平行透明板６１を矢印ＢＢ′方向に傾斜させることで、偏向面４４ａへ入射するビーム光Ｄ１、Ｄ２の入射角度を変化させることができる。【選択図】図４
2010256397.tif 000002
【特許請求の範囲】
【請求項１】
光源部と、
該光源部から射出されるビーム光を平行光束とするコリメータレンズと、
該コリメータレンズを通過したビーム光を副走査方向に収束させる単一のシリンドリカルレンズと、
該シリンドリカルレンズを通過したビーム光を偏向走査するポリゴンミラーと、
該偏向手段により偏向されたビーム光の光路に配置された走査レンズと、を備え、
前記ポリゴンミラーにより偏向走査されたビーム光を前記走査レンズにより結像させて被走査面上を走査する光学走査装置において、
前記コリメータレンズとシリンドリカルレンズとの間に、前記シリンドリカルレンズへのビーム光の副走査方向の入射位置を調整する平行透明板を配置したことを特徴とする光学走査装置。
【請求項２】
前記光源部及び前記コリメータレンズを複数組備え、前記平行透明板は各光源部に対応して複数設けられることを特徴とする請求項１に記載の光学走査装置。
【請求項３】
前記シリンドリカルレンズと前記ポリゴンミラーとの間に折り返しミラーを配置したことを特徴とする請求項１又は請求項２に記載の光学走査装置。
【請求項４】
請求項１乃至請求項３のいずれかに記載の光学走査装置が搭載された画像形成装置。
【発明の詳細な説明】
【技術分野】
【０００１】
本発明は、プリンタ、複写機、及びファクシミリ等の画像形成装置に用いられる、ビーム光を走査して画像を書き込み形成する光学走査装置、及びそれを備えた画像形成装置に関するものである。
【背景技術】
【０００２】
従来、複写機やプリンタ等の電子写真方式を用いる画像形成装置では、帯電装置によって均一に帯電された感光体ドラムの表面に、入力された画像データに基づいて変調したビーム光を走査させる光学走査装置を備えており、この光学走査装置によって形成された静電潜像が現像装置によってトナー像に現像され、さらにトナー像を記録紙等に転写し、定着装置により永久像とする画像形成プロセスが行われる。
【０００３】
ところで、カラー画像形成装置の高速化に伴い、例えば、４つの感光体ドラムを記録紙の搬送方向に配列し、これらの各感光体ドラムに対応した複数の光学走査装置で同時に露光して静電潜像をつくり、これらの静電潜像をイエロー、マゼンタ、シアン、ブラック等の各々異なる色の現像剤を使用する現像手段で現像した後、これらのトナー像を同一の記録用紙に順次重ね合わせて転写し、カラー画像を得るタンデム式のデジタル複写機やレーザープリンタが実用化されている。
【０００４】
このような４ドラムタンデム方式では、カラーもモノクロも同じ速度で出力できるため高速プリントに有利であるが、４つの感光体ドラムに対応した４つの光学走査装置を設けた場合、装置が大型化するという問題点があった。そこで、近年、画像形成装置の小型化の要請により各色ごとに設けられた光源から射出された複数のビーム光を、１つの回転多面鏡（ポリゴンミラー）で偏向させ、それぞれを異なる感光体に導いて露光走査するマルチビーム方式の光学走査装置が提案されている。
【０００５】
上述のようなマルチビーム方式の光学走査装置では、偏向された複数のビーム光の光路分離を容易にするために、各ビーム光がポリゴンミラーの偏向面に対して副走査方向にそれぞれ異なる角度で入射するように構成されている。例えば特許文献１には、コリメータレンズを通過した複数のビーム光が単一のシリンドリカルレンズに入射する光学走査装置において、各ビーム光のシリンドリカルレンズへの入射位置に応じて入射角度を調整することにより、ポリゴンミラーの偏向面で反射された後の光路分離を容易にした光学走査装置が提案されている。
【先行技術文献】
【特許文献】
【０００６】
【特許文献１】特開２００６−１８４７５０号公報
【発明の概要】
【発明が解決しようとする課題】
【０００７】
しかしながら、特許文献１の方法では、寸法公差や取り付け誤差等によりポリゴンミラーの偏向面が傾斜（面倒れ）すると、偏向面で反射されたビーム光の角度が変化してしまい、光路下流側に配置された走査レンズや平面ミラー等の所望の位置に入射せず像面湾曲やケラレが発生するおそれがあった。
【０００８】
また、シリンドリカルレンズとポリゴンミラーの間に折り返しミラーを配置すれば、折り返しミラーの角度調整により偏向面へのビーム光の入射位置を調整可能となる。しかし、この方法では偏向面に対するビーム光の入射角度は調整できないため、偏向面が傾斜した場合に偏向面で反射されたビーム光を走査レンズや平面ミラーの所望の位置に入射させることはできなかった。なお、ここでは１つのポリゴンミラーを用いて複数のビーム光を走査するマルチビーム方式の光学走査装置を例に挙げて偏向面の傾斜による問題点を説明したが、単一のビーム光を走査するシングルビーム方式の光学走査装置においても同様の問題点が存在する。
【０００９】
本発明は、上記問題点に鑑み、ポリゴンミラーで偏向されたビーム光の副走査方向の分離角度を調整することにより、偏向面の傾斜に起因する像面湾曲やケラレの発生を効果的に抑制できる光学走査装置及びそれを備えた画像形成装置を提供することを目的とする。
【課題を解決するための手段】
【００１０】
上記目的を達成するために本発明は、光源部と、該光源部から射出されるビーム光を平行光束とするコリメータレンズと、該コリメータレンズを通過したビーム光を副走査方向に収束させる単一のシリンドリカルレンズと、該シリンドリカルレンズを通過したビーム光を偏向走査するポリゴンミラーと、該偏向手段により偏向されたビーム光の光路に配置された走査レンズと、を備え、前記ポリゴンミラーにより偏向走査されたビーム光を前記走査レンズにより結像させて被走査面上を走査する光学走査装置において、前記コリメータレンズとシリンドリカルレンズとの間に、前記シリンドリカルレンズへのビーム光の副走査方向の入射位置を調整する平行透明板を配置したことを特徴としている。
【００１１】
また本発明は、上記構成の光学走査装置において、前記光源部及び前記コリメータレンズを複数組備え、前記平行透明板は各光源部に対応して複数設けられることを特徴としている。
【００１２】
また本発明は、上記構成の光学走査装置において、前記シリンドリカルレンズと前記ポリゴンミラーとの間に折り返しミラーを配置したことを特徴としている。
【００１３】
また本発明は、上記構成の光学走査装置が搭載された画像形成装置である。
【発明の効果】
【００１４】
本発明の第１の構成によれば、主走査方向を軸として平行透明板を傾斜させてシリンドリカルレンズへのビーム光の副走査方向の入射位置を調整することで、ポリゴンミラーの偏向面へ入射するビーム光の入射位置は変えずに入射角度を変化させることができる。従って、平行透明板の傾斜を調整することにより、偏向後におけるビーム光の副走査方向の分離角度を一定の範囲内に精度良く維持して偏向面の傾斜に起因する像面湾曲やケラレを効果的に抑制することができる。
【００１５】
また、本発明の第２の構成によれば、上記第１の構成の光学走査装置において、光源部及びコリメータレンズを複数組備えたマルチビーム方式の光学走査装置である場合、平行透明板を各光源部に対応して複数設けることにより、各ビーム光の偏向面への入射角度を個別に調整可能となる。
【００１６】
また、本発明の第３の構成によれば、上記第１又は第２の構成の光学走査装置において、シリンドリカルレンズとポリゴンミラーとの間に折り返しミラーを配置し、主走査方向を軸として折り返しミラーを所定量傾斜させることにより、偏向面における副走査方向の入射位置の調整も行うことができる。従って、偏向面へのビーム光の入射角度及び副走査方向の入射位置を同時に変化させて、ポリゴンミラーにより偏向されたビーム光の光路を精度良く調整することができる。
【００１７】
また、本発明の第４の構成によれば、上記第１乃至第３のいずれかの構成の光学走査装置を複写機やプリンタ等の画像形成装置に搭載することにより、像面湾曲やケラレ等に起因する走査不良のない高画質な画像形成が可能となる。
【図面の簡単な説明】
【００１８】
【図１】本発明の光学走査装置が搭載されたタンデム型カラー画像形成装置の全体構成を示す概略図
【図２】本発明の光学走査装置の内部構造を示す平面図
【図３】本発明の光学走査装置の内部構造を示す側面断面図
【図４】光学走査装置の光源部からポリゴンミラーまでの光路を直線的に示した模式図
【図５】平行透明板によるポリゴンミラーへの入射光の角度調整を説明する模式図
【図６】平行透明板及び折り返しミラーによるポリゴンミラーへの入射光の角度及び入射位置調整を説明する模式図
【発明を実施するための形態】
【００１９】
以下、図面を参照しながら本発明の実施形態について説明する。図１は、本発明の光学走査装置が搭載された画像形成装置の概略断面図であり、ここではタンデム方式のカラー画像形成装置について示している。カラー画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００２０】
この画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラ９において転写紙Ｐ上に一度に転写され、さらに、定着部７において転写紙Ｐ上に定着された後、装置本体より排出される。感光体ドラム１ａ〜１ｄを図１において反時計回りに回転させながら、各感光体ドラム１ａ〜１ｄに対する画像形成プロセスが実行される。
【００２１】
トナー像が転写される転写紙Ｐは、装置下部の用紙カセット１６内に収容されており、給紙ローラ１２ａ及びレジストローラ対１２ｂを介して二次転写ローラ９へと搬送される。中間転写ベルト８には誘電体樹脂製のシートが用いられ、その両端部を互いに重ね合わせて接合しエンドレス形状にしたベルトや、継ぎ目を有しない（シームレス）ベルトが用いられる。
【００２２】
次に、画像形成部Ｐａ〜Ｐｄについて説明する。回転自在に配設された各感光体ドラム１ａ〜１ｄの周囲及び下方には、感光体ドラム１ａ〜１ｄを帯電させる帯電器２ａ、２ｂ、２ｃ及び２ｄと、感光体ドラム１ａ〜１ｄに画像情報を露光する光学走査装置４と、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００２３】
ユーザにより画像形成開始が入力されると、先ず、帯電器２ａ〜２ｄによって感光体ドラム１ａ〜１ｄの表面を一様に帯電させ、次いで光学走査装置４によってレーザ光を照射し、各感光体ドラム１ａ〜１ｄ上に画像信号に応じた静電潜像を形成する。現像ユニット３ａ〜３ｄには、それぞれシアン、マゼンタ、イエロー及びブラックの各色のトナーが補給装置（図示せず）によって所定量充填されている。このトナーは、現像ユニット３ａ〜３ｄにより感光体ドラム１ａ〜１ｄ上に供給され、静電的に付着することにより、光学走査装置４からの露光により形成された静電潜像に応じたトナー像が形成される。
【００２４】
そして、中間転写ベルト８に所定の転写電圧で電界が付与された後、一次転写ローラ６ａ〜６ｄにより感光体ドラム１ａ〜１ｄ上のシアン、マゼンタ、イエロー、及びブラックのトナー像が中間転写ベルト８上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００２５】
中間転写ベルト８は、上流側の搬送ローラ１０と、下流側の駆動ローラ１１とに掛け渡されており、駆動モータ（図示せず）による駆動ローラ１１の回転に伴い中間転写ベルト８が時計回りに回転を開始すると、転写紙Ｐがレジストローラ対１２ｂから所定のタイミングで中間転写ベルト８に隣接して設けられた二次転写ローラ９へ搬送され、フルカラー画像が転写される。トナー像が転写された転写紙Ｐは定着部７へと搬送される。
【００２６】
定着部７に搬送された転写紙Ｐは、定着ローラ対１３により加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま排出ローラ対１５によって排出トレイ１７に排出される。
【００２７】
一方、転写紙Ｐの両面に画像を形成する場合は、定着部７を通過した転写紙Ｐは分岐部１４で用紙搬送路１８に振り分けられ、画像面を反転させた状態で二次転写ローラ９に再搬送される。そして、中間転写ベルト８上に形成された次の画像が二次転写ローラ９により転写紙Ｐの画像が形成されていない面に転写され、定着部７に搬送されてトナー像が定着された後、排出トレイ１７に排出される。
【００２８】
図２は、本発明の光学走査装置周辺の内部構成を示す平面図、図３は、その内部構成を示す側面断面図（図２のＡＡ′断面）、図４は、光学走査装置の光源部からポリゴンミラーまでの光路を直線的に示した模式図である。なお、図２においては平面ミラー４６ａ〜４６ｄの記載を省略している。図２及び図３に示すように、光学走査装置４はハウジング４８を有しており、ハウジング４８の底面４８ａの略中央部にはポリゴンミラー４４が配置されている。本実施形態では、ポリゴンミラー４４は側面に６つの偏向面（反射面）４４ａを有する正六角形の回転多面鏡から成り、ポリゴンモータ５１により所定の速度で回転する。
【００２９】
また、ハウジング４８の前面側（図２の下側）端部近傍には４つの光源部４０ａ〜４０ｄが配置されている。なお、図２では一つに記載しているが、光源部４０ａと４０ｂ、及び４０ｃと４０ｄは副走査方向（紙面方向）に重なっている。光源部４０ａ〜４０ｄはＬＤ（レーザダイオード）で構成され、画像信号に基づき光変調したビーム光（レーザ光）Ｄ１〜Ｄ４を射出する。
【００３０】
光源部４０ａ〜４０ｄとポリゴンミラー４４との間には、各光源部４０ａ〜４０ｄに対応して設けられた４つのコリメータレンズ４１と、コリメータレンズ４１を通過したビーム光Ｄ１〜Ｄ４を所定の光路幅とするアパーチャ６０と、アパーチャ６０を通過した後、ビーム光Ｄ１及びＤ２、Ｄ３及びＤ４がそれぞれ通過する２つのシリンドリカルレンズ４２と、シリンドリカルレンズ４２を通過したビーム光Ｄ１〜Ｄ４をポリゴンミラー４４の偏向面４４ａに導く２枚の折り返しミラー４３が配置されている。さらに、コリメータレンズ４１とシリンドリカルレンズ４２との間には入射面と出射面が平行な平行透明板６１が配置されている。なお、図２では一つに記載しているが、光源部４０ａと４０ｂ、及び４０ｃと４０ｄに対応するコリメータレンズ４１、アパーチャ６０、平行透明板６１はそれぞれ副走査方向に重なっている。
【００３１】
コリメータレンズ４１は光源部４０ａ〜４０ｄから射出したビーム光Ｄ１〜Ｄ４を略平行光束にするものであり、シリンドリカルレンズ４２は副走査方向（図３の上下方向）にのみ所定の屈折力を有するものである。また、ハウジング４８内には第１走査レンズ４５ａと４５ｂ、及び第２走査レンズ４７ａ、４７ｂと４７ｃ、４７ｄとがポリゴンミラー４４を挟んでそれぞれ対向配置されている。第１走査レンズ４５ａ、４５ｂ及び第２走査レンズ４７ａ〜４７ｄはｆθ特性を有しており、ポリゴンミラー４４によって偏向反射されたビーム光Ｄ１〜Ｄ４を感光体ドラム１ａ〜１ｄ（図１参照）上に結像させる。また、ポリゴンミラー４４から感光体ドラム１ａ〜１ｄ（図１参照）までの各ビーム光Ｄ１〜Ｄ４の光路上には平面ミラー４６ａ〜４６ｃが配置されている。
【００３２】
上記のように構成された光学走査装置４によるビーム光Ｄ１、Ｄ２の走査動作について説明する。まず、光源部４０ａ、４０ｂから射出されたビーム光Ｄ１、Ｄ２は、コリメータレンズ４１によって略平行光束とされ、アパーチャ６０によって所定の光路幅とされる。次に、略平行光束となったビーム光Ｄ１、Ｄ２を、平行透明板６１を介してシリンドリカルレンズ４２に入射させる。シリンドリカルレンズ４２に入射したビーム光Ｄ１、Ｄ２は、主走査断面においてはそのまま平行光束の状態で、副走査方向においては収束して射出され、ポリゴンミラー４４の偏向面４４ａに線像として結像する。このとき、ポリゴンミラー４４によって偏向された２つのビーム光Ｄ１、Ｄ２の光路分離を容易にするために、これらのビーム光Ｄ１、Ｄ２は偏向面４４ａに対して副走査方向にそれぞれ異なる角度で入射するように構成されている。
【００３３】
ポリゴンミラー４４に入射されたビーム光Ｄ１、Ｄ２は、ポリゴンミラー４４によって等角速度偏向された後、第１走査レンズ４５ａによって等速度偏向される。第１走査レンズ４５ａを通過したビーム光Ｄ１、Ｄ２は、それぞれの光路に配置された平面ミラー４６ａ、４６ｂによって所定回数折り返され、ビーム光Ｄ１は第２走査レンズ４７ａに、ビーム光Ｄ２は第２走査レンズ４７ｂにそれぞれ入射し、第２走査レンズ４７ａ、４７ｂによって等速度偏向される。そして、等速度偏向されたビーム光Ｄ１、Ｄ２は、それぞれの光路に配置された最終の平面ミラー４７ｃによって折り返され、ハウジング４８の上面４８ｂに形成された窓部４９ａ、４９ｂを通過して感光体ドラム１ａ、１ｂへ配光される。
【００３４】
光源部４０ｃ、４０ｄから射出されたビーム光Ｄ３、Ｄ４も同様にして、コリメータレンズ４１、平行透明板６１及びシリンドリカルレンズ４２を通過した後、ポリゴンミラー４４で等角度偏向され、第１走査レンズ４５ｂによって等速度偏向される。そして、平面ミラー４６ａ、４６ｂによって折り返された後、ビーム光Ｄ３は第２走査レンズ４７ｃに、ビーム光Ｄ４は第２走査レンズ４７ｄによってそれぞれ等速度偏向される。さらに、最終の平面ミラー４６ｃによって折り返され、上面４８ｂに形成れた窓部４９ｃ、４９ｄから感光体ドラム１ｃ、１ｄへ配光される。
【００３５】
次に、図４を用いてポリゴンミラー４４で偏向されたビーム光Ｄ１〜Ｄ４の副走査方向の分離角度を調整する方法について説明する。以下、ビーム光Ｄ１、Ｄ２を例に挙げて説明するが、ビーム光Ｄ３、Ｄ４の調整についても全く同様である。主走査方向（図４の紙面方向）を回転軸として平行透明板６１を矢印ＢＢ′方向に傾斜させると、コリメータレンズ４１及びアパーチャ６０を通過したビーム光Ｄ１、Ｄ２は平行透明板６１への入射時及び平行透明板６１からの出射時に屈折し、光軸Ｏに対する平行状態を維持したまま、シリンドリカルレンズ４２に対する副走査方向（図４の矢印ＣＣ′方向）の入射位置のみが変化する。また、シリンドリカルレンズ４２を通過した光は、シリンドリカルレンズ４２に対する副走査方向の入射位置に関係なく偏向面４４ａの同一位置に結像する。
【００３６】
つまり、平行透明板６１を矢印ＢＢ′方向に傾斜させることで、偏向面４４ａへ入射するビーム光Ｄ１、Ｄ２の入射角度を変化させることができる。従って、ポリゴンミラー４４の偏向面４４ａが傾斜している場合は、偏向面４４ａの傾斜に応じて平行透明板６１を矢印Ｂ方向若しくは矢印Ｂ′方向に所定量傾斜させることにより、偏向後におけるビーム光Ｄ１、Ｄ２の副走査方向の分離角度を一定の範囲内に精度良く維持して偏向面４４ａの傾斜に起因する像面湾曲やケラレを効果的に抑制することができる。
【００３７】
例えば、図５のように偏向面４４ａが矢印Ｂ′方向に傾斜している場合、ビーム光Ｄ１、Ｄ２の光路（破線で表示）は偏向面４４ａの傾斜によって通常より上向きに跳ね上げられ、第１走査レンズ４５ａの入射面に入射する際、所望の位置よりも上方（矢印Ｃ方向）にずれた位置に入射する。その結果、像面湾曲が発生する。
【００３８】
また、光路のずれは光路長が長くなるにつれて大きくなるため、第１走査レンズ４５ａよりも光路下流側に配置された平面ミラー４６ａ〜４６ｃ、第２走査レンズ４７ａ、４７ｂ等の光学部材へビーム光Ｄ１、Ｄ２が入射しない、いわゆるケラレが発生するおそれもある。
【００３９】
そこで、図５に示すように、偏向面４４ａの傾斜角に応じて平行透明板６１を矢印Ｂ方向に傾斜させると、シリンドリカルレンズ４２へのビーム光Ｄ１、Ｄ２の入射位置が矢印Ｃ方向にずれる。一方、偏向面４４ａへの副走査方向の入射位置は変化しないため、ビーム光Ｄ１、Ｄ２は、より上方から偏向面４４ａへ入射することになる（実線で表示）。その結果、偏向面４４ａの傾斜による偏向光の跳ね上げが抑えられるため、ビーム光Ｄ１、Ｄ２は第１走査レンズ４５ａの所望の位置に入射する。従って、像面湾曲やケラレを発生させることなくビーム光Ｄ１、Ｄ２を感光体ドラム１ａ、１ｂへ導くことができる。
【００４０】
また、シリンドリカルレンズ４２とポリゴンミラー４４の間に配置された折り返しミラー４３の傾斜を調整することにより、偏向面４４ａにおける副走査方向の入射位置の調整も行うことができる。例えば、図６のように偏向面４４ａが矢印Ｂ′方向に傾斜しており、且つ偏向面４４ａへのビーム光Ｄ１、Ｄ２の入射位置が矢印Ｃ方向にずれている場合、平行透明板６１を矢印Ｂ方向に傾斜させるとともに、折り返しミラー４３を矢印Ｂ′方向に傾斜させる。これにより、偏向面４４ａへのビーム光Ｄ１、Ｄ２の入射角度及び副走査方向の入射位置を同時に変化させて第１走査レンズ４５ａへの入射位置を精度良く調整することができる。
【００４１】
なお、偏向面４４ａが矢印Ｂ方向に傾斜している場合は、ビーム光Ｄ１、Ｄ２の光路は偏向面４４ａの傾斜によって通常より下向きとなり、第１走査レンズ４５ａの入射面には所望の位置よりも下方（矢印Ｃ′方向）にずれた位置に入射する。この場合、図５及び図６とは逆に平行透明板６１を矢印Ｂ′方向に傾斜させて、ビーム光Ｄ１、Ｄ２をより下方から偏向面４４ａへ入射させるようにすれば良い。
【００４２】
また、図５及び図６では、平行透明板６１を用いて偏向面４４ａの傾斜に起因するビーム光Ｄ１、Ｄ２の光路のずれを調整する方法について説明したが、ビーム光Ｄ１、Ｄ２が通過する平行透明板６１の傾きを別個に調整することで、光源部４０ａ、４０ｂやコリメータレンズ４１、アパーチャ６０の取り付け誤差に起因するシリンドリカルレンズ４２へのビーム光Ｄ１、Ｄ２の入射位置ずれを調整することもできる。
【００４３】
そして、光学走査装置４の組み立て時において、ビーム光Ｄ１〜Ｄ４が像面湾曲やケラレを生じることなく感光体ドラム１ａ〜１ｄに導かれるように平行透明板６１の傾斜を調整した状態で、接着剤等を用いて平行透明板６１を固定する。また、必要に応じて折り返しミラー４３の傾斜も調整し、接着剤等を用いて同様に固定する。この方法によれば、部品公差や取り付け誤差によるビーム光Ｄ１〜Ｄ４の光路のずれを簡単に調整可能となるため、被走査面を高精度に走査可能な光学走査装置４を簡易且つ低コストで製造できる。また、本発明の光学走査装置４を画像形成装置１００に搭載することで、高画質な画像形成が可能となる。
【００４４】
その他本発明は、上記各実施形態に限定されず、本発明の趣旨を逸脱しない範囲で種々の変更が可能である。例えば、上記実施形態において示した光学走査装置４は、シリンドリカルレンズ４２とポリゴンミラー４４の間に折り返しミラー４３を設けているが、折り返しミラー４３は必須の構成要素ではなく、折り返しミラー４３を設けない構成であっても良い。その場合、折り返しミラー４３による偏向面４４ａへの副走査方向の入射位置調整はできないが、偏向面４４ａへのビーム光Ｄ１〜Ｄ４の入射角度は調整できるため、偏向面４４ａの傾斜に起因する像面湾曲やケラレの抑制効果は期待できる。
【００４５】
また、上記実施形態において示した光学走査装置４は、ハウジング４８の略中央にポリゴンミラー４４を配置し、ビーム光Ｄ１及びＤ２、Ｄ３及びＤ４をそれぞれ反対方向に偏向する方式であるが、ハウジング４８の一端にポリゴンミラー４４を配置し、ビーム光Ｄ１〜Ｄ４を同方向に偏向しながら副走査方向に分離する方式としても良い。
【００４６】
また、本発明はマルチビーム方式の光学走査装置に限らず、モノクロ複写機やモノクロプリンタに搭載されるシングルビーム方式の光学走査装置にも全く同様に適用することができる。
【産業上の利用可能性】
【００４７】
本発明は、プリンタ、複写機、及びファクシミリ等の画像形成装置に用いられる、ビーム光を走査して画像を書き込み形成する光学走査装置に利用可能である。
【符号の説明】
【００４８】
Ｐａ〜Ｐｄ      画像形成部
１ａ〜１ｄ      感光体ドラム（被走査面）
４              光学走査装置
４０ａ〜４０ｄ  光源部
４１            コリメータレンズ
４２            シリンドリカルレンズ
４４            ポリゴンミラー
４４ａ          偏向面
４５ａ、４５ｂ  第１走査レンズ
４６ａ〜４６ｃ  平面ミラー
４７ａ〜４７ｄ  第２走査レンズ
４８            ハウジング
６０            アパーチャ
６１            平行透明板
１００          画像形成装置
Ｄ１〜Ｄ４      ビーム光
【図１】
2010256397.tif 000003
【図２】
2010256397.tif 000004
【図３】
2010256397.tif 000005
【図４】
2010256397.tif 000006
【図５】
2010256397.tif 000007
【図６】
2010256397.tif 000008